(57)【要約】  この発明は、互いに結合された咬合フォーク接続部（３４）と顎外ブラケット（１２）を有していて、基準要素が少なくとも１本の垂直脚部（１９，２１）と少なくとも１本の水平脚部（１４，１６）を備えるとともに瞳孔間ジョイント（２４）を介して前記咬合フォーク接続部（３４）と接続されてなる咬合器（１０）に関する。前記基準要素は、顎外ブラケット（１２）として形成され、その顎外ブラケットが前記咬合フォーク接続部（３４）に対して垂直にずれて延在する。【選択図】図１
2016504083.tif 000002
【特許請求の範囲】
【請求項１】
互いに結合された咬合フォーク接続部（３４）と顎外ブラケット（１２）を有していて、基準要素が少なくとも１本の垂直脚部と少なくとも１本の水平脚部を備えるとともに瞳孔間ジョイント（２４）を介して前記咬合フォーク接続部（３４）と接続されてなる咬合器であり、前記基準要素が顎外ブラケット（１２）として形成され、その顎外ブラケットが前記咬合フォーク接続部（３４）に対して垂直にずれて延在することを特徴とする咬合器。
【請求項２】
顎外ブラケット（１２）がその顎外ブラケットと固定的に結合されるとともに特にその顎外ブラケット（１２）を超えて上方に延在する垂直な指針（２８）を備えることを特徴とする請求項１記載の咬合器。
【請求項３】
咬合フォーク接続部（３４）と顎外ブラケット（１２）の間の垂直距離が患者の咬合平面とカンペル平面の間の距離に実質的に相当することを特徴とする請求項１記載の咬合器。
【請求項４】
咬合フォーク接続部（３４）上に印象材キャリアあるいは咬合フォークを選択的に収容するための交換接続部を配置することを特徴とする請求項１ないし３のいずれかに記載の咬合器。
【請求項５】
瞳孔間ジョイント（２４）に加えてカンペルジョイント（４０）を咬合器上に設け、その際これらのジョイントのジョイント軸が相互に交差して、特に相互に直角に延在することを特徴とする請求項１ないし４のいずれかに記載の咬合器。
【請求項６】
カンペルジョイント（４０）のジョイント軸が前記瞳孔間ジョイント（２４）に対して直角に延在するように形成され、このカンペルジョイントは咬合フォーク接続部（３４）と瞳孔間ジョイント（２４）の間に延在し、その際特にそれら各ジョイント（２４，４０）の間に円錐（部材４２）を配置することを特徴とする請求項１ないし５のいずれかに記載の咬合器。
【請求項７】
カンペルジョイント（４０）がストッパを備え、そのストッパが前記円錐に対する咬合フォーク接続部（３４）の振れを±３０°未満の旋回角度、特に±２０°未満の旋回角度、好適には−１７ないし＋９°の旋回角度に制限することを特徴とする請求項５または６記載の咬合器。
【請求項８】
少なくとも１個のジョイントが固定手段、特にロックナット（４６，３９）を備え、それによって使用者の選択に従って所与の旋回位置を固定可能であることを特徴とする請求項１ないし７のいずれかに記載の咬合器。
【請求項９】
少なくとも１個のジョイント、特に両方のジョイントが角度計測装置（３６，５０）を備え、それによってジョイントと相互に結合されかつ相対して旋回可能な咬合器（１０）の部材の角度を検出可能、特に読み取り可能にすることを特徴とする請求項１ないし８のいずれかに記載の咬合器。
【請求項１０】
少なくとも１個のジョイント、特に両方のジョイントがスケールおよび指針を備え、それによって所与の回転位置の角度位置を読み取り可能であることを特徴とする請求項１ないし９のいずれかに記載の咬合器。
【請求項１１】
瞳孔間ジョイント（２４）が瞳孔間線に対する咬合平面の角度位置を調節しまた固定しながら検出することを可能にすることを特徴とする請求項１ないし１０のいずれかに記載の咬合器。
【請求項１２】
カンペルジョイント（４０）がカンペル平面に対する咬合平面の角度位置を調節しまた固定しながら検出することを可能にすることを特徴とする請求項１ないし１１のいずれかに記載の咬合器。
【請求項１３】
顎外ブラケット（１２）を垂直にずらして支承するために咬合フォーク接続部（３４）上に少なくとも１個、特に２個の垂直に突立する支持脚部（１９，２０）を形成することを特徴とする請求項１ないし１２のいずれかに記載の咬合器。
【請求項１４】
支持脚部が顎外ブラケット（１２）を形成する金属あるいは板金帯材の部材であることを特徴とする請求項１３記載の咬合器。
【請求項１５】
顎外ブラケット（１２）と咬合フォークの間の垂直ずれが調節可能であり、特に中央値２５ｍｍで１８ｍｍないし３１ｍｍで調節可能とすることを特徴とする請求項１ないし１２のいずれかに記載の咬合器。
【請求項１６】
顎外ブラケット（１２）が互いに対向して２回実質的に直角に湾曲しその位置に垂直に延在する支持脚部（１９，２０）が形成されることを特徴とする請求項１ないし１５のいずれかに記載の咬合器。
【請求項１７】
顎外ブラケット（１２）が、特にそれの前方／外側角部上に、垂直軸を有するジョイントを備え、それを介して前記顎外ブラケット（１２）の側方脚部（１４，１６）が相互に旋回可能であることを特徴とする請求項１ないし１６のいずれかに記載の咬合器。
【請求項１８】
顎外ブラケット（１２）が少なくとも１個の基準要素を所与の位置に備え、それを介し対外計測によって特に患者に対する前記顎外ブラケットの位置を検出可能であることを特徴とする請求項１ないし１７のいずれかに記載の咬合器。
【請求項１９】
咬合器上、特に咬合フォーク接続部（３４）と咬合フォークの中央脚部の間の接続領域内および／または印象材キャリアの受容部（８４）上および／または印象材キャリア自体の上に咬合器基準要素（９７）を取り付け、それがスキャン装置および／またはデジタル咬合器における咬合器の併進動作上の位置の捕捉を可能にすることを特徴とする請求項１ないし１８のいずれかに記載の咬合器。
【発明の詳細な説明】
【技術分野】
【０００１】
この発明は請求項１前段に記載の咬合器に関する。
【背景技術】
【０００２】
義歯を製造するために患者データを伝送するための装置は古くから知られている。例えば独国特許出願公開第３３４７８３０号Ａ１明細書により咬合フォークを備えた装置が知られており、それによれば基準アーチがメモリを備えていてそれによって顆頭関節軸の水平方向のずれが判定可能となる。この解決方式は第５頁の記述から瞳孔間線に対して平行な咬合平面の延伸に基づくものである。
【０００３】
しかしながら実際にここには小さな角度差が生じる可能性があり、従ってその角度差を考慮するものである瞳孔間ジョイントを挿入することが知られている。その種の解決方式の一例が独国特許出願公開第３０３２９１３号Ａ１明細書によって開示されている。
【０００４】
そこに設置されたジョイントによって顆頭軸に対して垂直に延在する水平軸周りで咬合フォークを調節することが可能になるが、その際角度位置の検出は設定されていない。
【０００５】
その他にも多くの装置が提案されている。比較的近年からは米国特許第５１５４６０８号Ａ１明細書が挙げられ、それによれば咬合分析のために機能するとともに例えば図３ならびに関連の記述によって示されるように水平方向のずれを検出するための適宜なスケールを備えた装置が開示されている。
【０００６】
しかしながら、歯科診療において今日なお咬合フォークと結合され咬合フォークセットと呼ばれる基準アーチが使用されており、その際の結合はジョイントを介するかあるいは一体的に形成することができ、そこで咬合フォークセットはしばしば短縮された長さを有する。前記咬合フォークは水平方向に延在する複数の板金片から形成される。顆頭関節に到達するまで板金片を必要に応じて曲げるか、あるいは例えば木材を使用して“延長”するかは、歯科医師あるいは歯科技工士の好みに合わせて設定される。この種の解決方式は低コストであるが、人間工学的および調節の精度の点で不満足である。
【０００７】
いわゆるカンペル平面は鼻下点と耳珠を介して延在することが知られている。このカンペル平面は多くの場合に咬合平面と平行であると見られるが、精密に計測すれば患者ごとに異なるものである角度差が確認されることもあり得る。
【０００８】
全歯欠損の患者の場合ワックステンプレートを使用して処置され、そのテンプレートは経験値として中央値に設定され、そのため咬合器を利用することができる。
【０００９】
従来知られている咬合器による角度差の検出は、指針を有するスケールのように適宜な角度測定が具現化されていれば、顆頭関節方向に対して横断方向、すなわち瞳孔間ジョイントに相当する角度についてのみ可能となる。
【００１０】
さらに、存在し得る通常値からの差を計算に入れたスケールを備えてなる咬合器用の補助装置が知られている。その際部分的に補助フレームも使用される。
【発明の概要】
【発明が解決しようとする課題】
【００１１】
従って本発明の目的は、単純かつ容易に使用可能であるが多数の設定選択肢による誤操作を危惧することなく患者ごとの複数の特殊性を検出することができる請求項１前段に記載の咬合器を提供することにある。
【課題を解決するための手段】
【００１２】
前記の課題は、本発明に従って請求項１によって解決される。好適な追加構成が従属請求項によって定義される。
【００１３】
本発明に係る咬合器の特徴によれば、この本発明に係る咬合器の具現化および適用を高コストなものにすることなく患者の個々の咬合平面を極めて正確かつ単純に検出することができる。顎外ブラケットの垂直摺動によってそれの末端が耳点および／または顆頭関節の方向を指し、従ってこの顎外ブラケットの設置は周知の短縮された構成に比べて単純化される。そのため顎外ブラケットの側方脚部の長さは７ｃｍないし２３ｃｍ、好適には大人用で約１５ｃｍとなる。この場合顎外ブラケットの端部が耳点を超えて突立しても危険が生じない。
【００１４】
咬合平面と本発明に従って配置された顎外ブラケットの間の垂直方向のずれは２０ｍｍないし３０ｍｍの間で固定的に設定することが好適であり、中央値は２５ｍｍとなる。これは、咬合平面とカンペル平面の間の典型的なずれである。
【００１５】
他方、前記の垂直のずれを調節可能にすることも可能であり、その際も設定の“ゼロ位置”は２５ｍｍとなり；調節スケールは例えば２０ｍｍと３０ｍｍの間の範囲で延在することができる。
【００１６】
本発明によれば、咬合器内の中央下方で中間前方に形成された周知の瞳孔間ジョイントによって瞳孔間線と咬合平面との間の角度を判定、捕捉、および測定することができる。そのため、本発明によれば指針、棒、あるいは顎外ブラケットと固定的かつそれに対して正確に直角に延在するように結合されていて上方に垂直に延在するその他の任意の要素が好適に設けられる。前記の指針は患者の矢状面の中心点に向かって指向させることが好適である。
【００１７】
そのため、例えば患者の鼻あるいは額上の適宜な点に予め水性フェルトペンでマークを付け、それに対して指針の照準を合わせることができる。
【００１８】
本発明によれば、瞳孔間ジョイント上にスケールと組み合わされた測定指針が設けられ、それによって矢状面内に位置する水平軸周りにおける咬合平面と瞳孔間線との間の角度差の測定を可能にする。カンペル平面は通常瞳孔間線と平行して延在する。その際測定指針は咬合フォーク接続部上あるいは顎外ブラケット上（すなわち前記指針と連結）に取り付け、スケールを適宜な他の部位に取り付けることができる。スケールは角度表記で区分され、周知のように円形に延在することが好適である。
【００１９】
従って本発明によれば、顎外ブラケットの長い“レバーアーム”の観点において前述した矢状面内の軸周りの角度ずれを既に従来よりも正確に測定することができ、その際任意の方式で勿論角度測定を実施することが可能で、例えば測定指針とスケールの組み合わせを使用するか、電子ノギスにおいて知られているようなデジタル表示器に該当するデジタル表示装置を使用するか、ひずみゲージを使用し従って遠隔測定を利用することができる。
【００２０】
別の好適な実施形態によれば、咬合フォーク接続部の領域内にカンペルジョイントが設けられる。このカンペルジョイントの軸は前頭面内に存在し従って顆頭関節軸に対して平行に延在する。本発明によれば、カンペルジョイントによって咬合平面に対するカンペル平面の傾斜状態を検出かつ計測することができる。そのため前記のカンペルジョイントが互いに対向するジョイント部材上にそれぞれ取り付けられた計測指針とスケールを備える。従って、咬合フォーク接続部は顎外ブラケットに対して前記軸の周りで旋回可能であり、その軸周りの角度位置が検出可能になる。
【００２１】
咬合フォーク接続部が測定のために咬合フォークを具備する。咬合フォークは患者の口内への挿入に際して咬合平面内に延在する。
【００２２】
従って本発明に係る咬合器の使用に際してカンペル平面に対する咬合平面の傾斜状態を二次元で検出し得ることが好適であり、その際顎外ブラケットが基準要素として作用する。
【００２３】
本発明に係る両方のジョイントのジョイント部材が相互に旋回可能であるが一度設定した旋回位置を静摩擦によって保持し得ることが理解される。それにより患者の口から咬合フォークを取り出す際に全てのジョイントが設定された状態に維持され、従って該当する測定指針とそれに対応するスケールによって角度数値を容易に読み取ることができる。
【００２４】
それに代えて、各ジョイント部材の圧接力を相互に微調節するとともに固定を実施することを可能にするロックナットをジョイントが備えることもできる。
【００２５】
咬合フォークに代えて咬合フォーク接続部上に印象材キャリアの受容部を設置することもでき、その場合直接的に印象によって測定を実施することもできる。印象材キャリアとしては印象用トレーを使用するか、あるいはイボクラール・ビバデント社製のセントリックトレーを使用することができる。
【００２６】
本発明によれば、咬合器の部材を金属、好適には板金帯材から打ち抜き加工あるいは機械加工することが好適である。従って咬合器全体がさらに高圧蒸気滅菌可能になりその結果容易に殺菌することができる。
【００２７】
ロックナットあるいは適宜なボルトによってジョイント部材を必要に応じて相互に分離して交換することもでき、それによって取扱いの容易性が向上する。
【００２８】
交換可能な咬合フォークおよび／または印象材キャリアを有する咬合フォーク接続部によって個別の患者の多様な顎形態にも配慮することができる。また、顎外ブラケットがボルトによって咬合器上に固定されるため、必要に応じて異なったサイズを用意しておき使用することも可能である。
【００２９】
本発明のその他の詳細、特徴、ならびに種々の利点は添付図面を参照しながら以下に記述する詳細な説明によって理解される。
【図面の簡単な説明】
【００３０】
【図１】本発明に係る咬合器の第１の実施形態を概略的に示した立体図である。
【図２】図１の咬合器を別の角度で示した立体図である。
【図３】本発明に係る咬合器の別の実施形態を示した（同様な）立体図である。
【図４】図３の咬合器を別の角度で示した立体図である。
【図５】図３の咬合器を示した側面図である。
【図６】図３の咬合器の上面を示した平面図である。
【図７】図３の咬合器を別の方向から示した側面図である。
【図８】図３の咬合器の下面を示した平面図である。
【図９】図３の咬合器を示した前面図である。
【図１０】本発明に係る咬合器のさらに別の実施形態を概略的に示した上面図である。
【発明を実施するための形態】
【００３１】
図１に示された咬合器１０は、基準要素として略Ｕ字型に延在していて２本の側方脚部１４，１６と中央脚部１８を有する顎外ブラケット１２を備える。前記の側方脚部１４および１６は、約２５°の角度で相互に拡がりながら延在する。
【００３２】
図示されていない本発明に係る咬合器の一変更形態によれば、側方脚部１４および１６がいずれも中央脚部１８に対して関節式に取り付けられる。これにかかるジョイントは極めて単純に達成することができ、例えば２つの孔を有していてその中に前記側方脚部と中央脚部の相互に向かい合った端部を保持し、それらの孔に相互に整列させて例えばリベット等の適宜な固定要素が挿通される。
【００３３】
適宜なストッパを使用して調節性を任意の適宜な方式で制限することもでき、例えば中央脚部１８と各側方脚部１４あるいは１６の間でそれぞれ４５°ないし９０°の角度範囲に制限することができる。
【００３４】
顎外ブラケット１２は例えば耐錆性の鋼材からなる金属ストライプの形式で形成される。前記の金属ストライプは図示された実施例において８ｍｍの幅および１ｍｍの厚みを有していて必要な調節性が存在する。
【００３５】
他方、顎外ブラケット１２とさらに必要であれば咬合器を硬質の樹脂から形成することができ、また必要であれば繊維強化樹脂から形成するか、または良好に殺菌可能な他の任意の適宜な材料から形成することもできる。
【００３６】
顎外ブラケット１２の中央脚部１８は高低差部分２０を有し、これも同様に鋼材帯からなるとともに基本的に四角形に構成される。従って、前記の高低差部分２０によって顎外ブラケット２０のための一種の枠が形成される。高低差部分２０は２本の垂直脚部１９および２１を備える。図示された実施例においてはその位置で鋼材帯が垂直方向、すなわち直立方向に突立するＵ字形に湾曲し、そのＵ字形の側方脚部の末端の間にさらに別の鋼材帯２６が溶接され、それが基本的に顎外ブラケット１２の水平な中央脚部１８の主要部分を形成する。
【００３７】
前記の高低差部分は接続脚部２２を備え、それの上に瞳孔間ジョイント２４が取り付けられる。前記接続脚部２２と前記の溶接された鋼材帯２６の間に指針２８が延在する。指針２８は上方に向かって顕著に鋼材帯２６を超えて延在する。図１の描写において指針２８は約４ｃｍの長さのみを有するものであるが、必要に応じて指針の長さを大幅に延長し、例えば１０ｃｍとすることも可能であることが理解される。
【００３８】
顎外ブラケット１２の側方脚部１４および１６の高さに位置する鋼材帯２６と接続脚部２２との間の高低差は図示された実施例において２５ｍｍであるが；必要に応じて１８ｍｍないし３２ｍｍの間の別の値を適用することもできる。
【００３９】
瞳孔間ジョイント２４は、接続脚部２２と結合されたジョイント部材３０と咬合フォーク接続部３２と結合されたジョイント部材３４を備える。ジョイント部材３０は図１には図示されていない計測指針と結合され、またジョイント部材３４はスケール３６と結合されており、前記瞳孔間ジョイント２４の計測指針がスケール３６に沿って延在する。
【００４０】
ロックナット３９により、例えばこのロックナット３９上に標記された“開け”および“締め”の回転方向に従ったジョイントの固定と解放が可能になる。
【００４１】
図２において、咬合器１０が図１と同じ実施形態で背面から見た立体図として示されている。この図面ならびに以降の図面においても、同一の構成要素は同一の参照符号を付して示される。
【００４２】
図２に示されているように、ジョイント部材３０に対して計測指針３８が割り当てられ回転ずれしないように結合される。また、スケール３６はジョイント部材３４と結合されるが、反対の組み合わせの構成を選択することも勿論可能である。
【００４３】
本発明に係る極めて好適な構成形態によれば、咬合フォーク接続部３２がさらに別のジョイント、すなわちカンペルジョイント４０を備える。前記カンペルジョイント４０は円錐形状の第１の部材４２と第２の部材４４とから形成され、それらがロックナット４６を介して相互にネジ固定される。ロックナット４６によって部材４２と４６の相互間の摩擦力の調節が可能になる。
【００４４】
この実施例において部材４４が第２の計測指針４８と結合され、また部材４２は第２のスケール５０と結合される。
【００４５】
従ってスケール５０上の計測指針４８の位置を読み取ることによって軸が顆頭軸と平行に延在するカンペルジョイント４０上の角度位置の捕捉が可能になる。
【００４６】
咬合フォーク接続部３４はさらに交換接続部８２を備え、図２の構成によればその中に印象材キャリア（例えば印象用トレー、セントリックトレー）のための受容部８４が収容される。
【００４７】
図３からは、咬合器１０が受容部８４に代えて咬合フォーク８６を備えるようにも構成可能であることが理解される。そのため交換接続部８２は、２本のボルト９０および９２（あるいは別の実施形態においては適宜なナット）を緩めて所要の接続部品を選択して適用しその後ボルト９０および９２を再び締め付けることを可能にする。ここで形成される接続面によって高さ位置と角度位置がそれぞれ正確に予設定され、従って咬合フォークの大きさが多様な場合でも咬合平面が常に正確に検出される。
【００４８】
図４から、瞳孔間ジョイント２４とカンペルジョイント４０に対して同様なロックナット３９と４６を使用し得ることが理解される。
【００４９】
図５には本発明に係る咬合器１０の左方からの側面図が示されている。ジョイント部材３０および３２は円筒形状の部品として形成され従って瞳孔間ジョイント２４の一部になっている。カンペルジョイント４０の部材４２も円筒形状の要素として形成されるが、部材４４は金属ブロックとして形成されてその上面上に交換接続部８２の接続面が形成される。
【００５０】
図６には咬合器１０の上面図が示されている。図示されているように、カンペルジョイント４０上の接続性を考慮して交換接続部８２の接続ピン９６が非対称性に幾らかオフセットして形成される。瞳孔間ジョイント２４が正確に矢状面９８上に存在すべきであることが理解される。
【００５１】
図７には、本発明に係る咬合器１０の右方からの側面図が示されている。ここではスケール５０と計測指針４８が相互に対向する配置で極めて明確に図示されており；検出された角度位置が丁度０°を示している。ここで測定角度範囲は−１５°ないし＋１５°であり、通常咬合平面とカンペル平面の間の相対位置関係は＋１５°あるいは−１５°より顕著に小さな相異となる。
【００５２】
カンペルジョイントの旋回動作性は、考えられる旋回角度を任意の適宜な方式で制限するストッパによって規制することができる。例えば、水平の中央位置に対して±３０°の最大旋回角度を設定することができるが、最大旋回角度を±２５°あるいはわずか２０°とすることもできる。旋回角度はスケール５０の範囲内の旋回を可能にすべきものとなり、スケールが例えば−７°ないし＋９°のように小さな範囲で延在する場合、それに応じて適宜な旋回角度の制限を実施することができる。
【００５３】
図８には、本発明に係る咬合器１０の底面が示されている。ここでもカンペルジョイント４０と瞳孔間ジョイント２４の旋回軸が相互に垂直に延在することが理解される。
【００５４】
計測指針３８とスケール３６の間の相対位置関係が図９に明確に示されている。ここで表記された目盛範囲は−１０°ないし＋１０°であるが、ここでも実用上実際に生じる値はこの範囲よりも顕著に小さいものとある。
【００５５】
瞳孔間ジョイントに対しても、スケール３６の目盛範囲よりも広範囲である数値に旋回範囲を制限するストッパを設けることができるが、それに従った規制は不要である。
【００５６】
本発明の別の構成形態によれば、咬合フォーク接続部３４と顎外ブラケット１２の間の垂直距離が調節可能である。その調節可能性は簡便な方式で機械式に実現することができるが、その際両方の要素の相互に平行な誘導が好適である。これに対応する解決方式は、例えば建築分野において使用されるようなはさみリンク型ジョイントによって実現することができる。その際調節範囲は２０ｍｍないし３０ｍｍとすることができる。
【００５７】
別の好適な構成形態によれば、顎外ブラケット１２上、好適にはその側方脚部１４および１６上に基準要素が設けられる。その基準点を用いて例えば目視観測によって顎外ブラケットの位置、従ってすなわち咬合器の位置を例えば周知の立体鏡視方法に従って検出することができ、さらに患者に対しての咬合器の相対位置も検出することができる。
【００５８】
別の好適な実施形態によれば、咬合フォーク接続部３４上に唇マークを設ける。その理由は、全歯欠損の顎の場合にしばしば患者の上唇が内側に低没するためであり、これは補綴部材によって修復すべきものである。本発明に係る上唇マークあるいは唇マークによって唇位置を最適に調節するかあるいは予め測定することができ；後に咬合診断結果に基づいて製造すべき補綴部材によって唇位置が決定され、特に歯の水平位置および／またはより厚くあるいは突出を少なくして形成することができる歯の上方の歯科補綴部材の歯肉材の形状によって決定される。
【００５９】
前記の唇マークは咬合フォークと固定的に結合して咬合フォーク接続部上に取り付けるか、または前記接続部に対して摺動可能に取り付けることができ、その際必要であれば位置検出可能にすることができる。
【００６０】
図１０により、装着された咬合フォークに対する咬合器の正確な位置設定を可能にする咬合器基準要素９７をどのような方式で取り付け得るかが示されている。
【００６１】
基準位置を判定するために追加的な補助手段として印象後の印象材を使用することもできる。咬合器基準要素を印象材キャリア上あるいは印象材自体の上に取り付けることによって、その印象材の位置、従って患者の顎と顎外ブラケット１２との間の正確な関係を作成することができる。
【００６２】
このために適した咬合器基準要素を使用しないと、患者の口腔に対する咬合器の相対位置が決定されなくなる危険性が生じる。
【００６３】
従って本発明によれば、印象材キャリアもしくは咬合フォークと顎外ブラケット１２との間の相対角度を判定し得るばかりでなく、咬合器基準要素９７を介して患者の口に対する咬合器の位置姿勢も特にスキャンに際して判定し得ることが好適である。
【００６４】
しかしながら、総義歯を製造するためには三次元スキャンが極めて好適である。
【００６５】
咬合器基準要素９７を咬合フォーク上あるいは咬合フォーク接続部上、または印象材キャリア上に取り付けることによって、極めて正確な基準設定が可能になり、何故ならば、咬合フォークのための１つの工具受容部のみが基準要素を支承し従ってその工具受容部に関してスキャンが実行される場合にホルダと咬合フォークの間の固定の不正確性がスキャン結果を誤らせる可能性があるためである。
【００６６】
咬合器基準要素９７は任意の適宜な方式で形成することができる。例えば誤認不可能なような二次元の指標を有することが好適であり、すなわち例えば対称な十字形等でないものとされる。
【００６７】
好適な実施形態によれば追加的に解像度検出装置９９が設けられ、それが微細な線から形成され、それの識別性によって、咬合器基準要素９７に対する適正な焦点合わせが実施されているという宣言を立てることが可能になる。
【図１】
2016504083.tif 000003
【図２】
2016504083.tif 000004
【図３】
2016504083.tif 000005
【図４】
2016504083.tif 000006
【図５】
2016504083.tif 000007
【図６】
2016504083.tif 000008
【図７】
2016504083.tif 000009
【図８】
2016504083.tif 000010
【図９】
2016504083.tif 000011
【図１０】
2016504083.tif 000012
【手続補正書】
【提出日】平成26年5月23日(2014.5.23)
【手続補正１】
【補正対象書類名】特許請求の範囲
【補正対象項目名】全文
【補正方法】変更
【補正の内容】
【特許請求の範囲】
【請求項１】
互いに結合された咬合フォーク接続部（３４）と顎外ブラケット（１２）を有していて、基準要素が少なくとも１本の垂直脚部と少なくとも１本の水平脚部を備えるとともに瞳孔間ジョイント（２４）を介して前記咬合フォーク接続部（３４）と接続されてなる咬合器であり、前記基準要素が顎外ブラケット（１２）として形成され、その顎外ブラケットが前記咬合フォーク接続部（３４）に対して垂直にずれて延在し、
瞳孔間ジョイント（２４）に加えてカンペルジョイント（４０）を咬合器上に設け、
少なくとも１個のジョイント、特に両方のジョイントが角度計測装置（３６，５０）を備え、それによってジョイントと相互に結合されかつ相対して旋回可能な咬合器（１０）の部材の角度を検出可能、特に読み取り可能にすることを特徴とする咬合器。
【請求項２】
顎外ブラケット（１２）がその顎外ブラケットと固定的に結合されるとともに特にその顎外ブラケット（１２）を超えて上方に延在する垂直な指針（２８）を備えることを特徴とする請求項１記載の咬合器。
【請求項３】
咬合フォーク接続部（３４）と顎外ブラケット（１２）の間の垂直距離が患者の咬合平面とカンペル平面の間の距離に実質的に相当することを特徴とする請求項１記載の咬合器。
【請求項４】
咬合フォーク接続部（３４）上に印象材キャリアあるいは咬合フォークを選択的に収容するための交換接続部を配置することを特徴とする請求項１ないし３のいずれかに記載の咬合器。
【請求項５】
瞳孔間ジョイント（２４）とカンペルジョイント（４０）のジョイント軸が相互に交差して、特に相互に直角に延在することを特徴とする請求項１ないし４のいずれかに記載の咬合器。
【請求項６】
カンペルジョイント（４０）のジョイント軸が前記瞳孔間ジョイント（２４）に対して直角に延在するように形成され、このカンペルジョイントは咬合フォーク接続部（３４）と瞳孔間ジョイント（２４）の間に延在し、その際特にそれら各ジョイント（２４，４０）の間に円錐（部材４２）を配置することを特徴とする請求項１ないし５のいずれかに記載の咬合器。
【請求項７】
カンペルジョイント（４０）がストッパを備え、そのストッパが前記円錐に対する咬合フォーク接続部（３４）の振れを±３０°未満の旋回角度、特に±２０°未満の旋回角度、好適には−１７ないし＋９°の旋回角度に制限することを特徴とする請求項５または６記載の咬合器。
【請求項８】
少なくとも１個のジョイントが固定手段、特にロックナット（４６，３９）を備え、それによって使用者の選択に従って所与の旋回位置を固定可能であることを特徴とする請求項１ないし７のいずれかに記載の咬合器。
【請求項９】
少なくとも１個のジョイント、特に両方のジョイントがスケールおよび指針を備え、それによって所与の回転位置の角度位置を読み取り可能であることを特徴とする請求項１ないし８のいずれかに記載の咬合器。
【請求項１０】
瞳孔間ジョイント（２４）が瞳孔間線に対する咬合平面の角度位置を調節しまた固定しながら検出することを可能にすることを特徴とする請求項１ないし９のいずれかに記載の咬合器。
【請求項１１】
カンペルジョイント（４０）がカンペル平面に対する咬合平面の角度位置を調節しまた固定しながら検出することを可能にすることを特徴とする請求項１ないし１０のいずれかに記載の咬合器。
【請求項１２】
顎外ブラケット（１２）を垂直にずらして支承するために咬合フォーク接続部（３４）上に少なくとも１個、特に２個の垂直に突立する支持脚部（１９，２０）を形成することを特徴とする請求項１ないし１１のいずれかに記載の咬合器。
【請求項１３】
支持脚部が顎外ブラケット（１２）を形成する金属あるいは板金帯材の部材であることを特徴とする請求項１２記載の咬合器。
【請求項１４】
顎外ブラケット（１２）と咬合フォークの間の垂直ずれが調節可能であり、特に中央値２５ｍｍで１８ｍｍないし３１ｍｍで調節可能とすることを特徴とする請求項１ないし１１のいずれかに記載の咬合器。
【請求項１５】
顎外ブラケット（１２）が互いに対向して２回実質的に直角に湾曲しその位置に垂直に延在する支持脚部（１９，２０）が形成されることを特徴とする請求項１ないし１４のいずれかに記載の咬合器。
【請求項１６】
顎外ブラケット（１２）が、特にそれの前方／外側角部上に、垂直軸を有するジョイントを備え、それを介して前記顎外ブラケット（１２）の側方脚部（１４，１６）が相互に旋回可能であることを特徴とする請求項１ないし１５のいずれかに記載の咬合器。
【請求項１７】
顎外ブラケット（１２）が少なくとも１個の基準要素を所与の位置に備え、それを介し対外計測によって特に患者に対する前記顎外ブラケットの位置を検出可能であることを特徴とする請求項１ないし１６のいずれかに記載の咬合器。
【請求項１８】
咬合器上、特に咬合フォーク接続部（３４）と咬合フォークの中央脚部の間の接続領域内および／または印象材キャリアの受容部（８４）上および／または印象材キャリア自体の上に咬合器基準要素（９７）を取り付け、それがスキャン装置および／またはデジタル咬合器における咬合器の併進動作上の位置の捕捉を可能にすることを特徴とする請求項１ないし１７のいずれかに記載の咬合器。
【国際調査報告】
2016504083.tif 000013
2016504083.tif 000014
2016504083.tif 000015
2016504083.tif 000016
2016504083.tif 000017
2016504083.tif 000018